(57)【要約】【課題】侵入報知までの短時間内にテンキー等の複数スイッチを押す順序が長すぎると覚えられず誤報となり、順序が短すぎると、侵入者に容易に解除されるという課題を有していた。【解決手段】制御手段２と防犯モード設定手段３と計時手段４とセンサや機器の状態検知手段（５と１０ａ〜１０ｆ）と防犯モード状態を解除するためのセンサや機器状態を登録する防犯モード解除条件登録手段６とを有し、防犯モード入以降の状態検知手段（５と１０ａ〜１０ｆ）で検知した状態変化から所定時間内に、前記防犯モード解除条件登録手段６に登録された機器状態にならなければ侵入判定することで、センサの他に機器状態変化でも侵入者に気づかれず侵入報知準備でき、しかも他人にはわかりにくい機器動作を行うだけで防犯解除できる。【選択図】  図１
2004334470.tif 000002
【特許請求の範囲】
【請求項１】
制御手段と、防犯の監視状態にする防犯モードに入るための防犯モード設定手段と、所定時間を計時する計時手段と、センサまたは機器の状態を検知する状態検知手段と、防犯モード状態を解除するためのセンサまたは機器の状態を登録する防犯モード解除条件登録手段とを有し、前記制御手段は、防犯モード入以降の前記状態検知手段で検知したセンサまたは機器の状態変化から前記所定時間内に、前記防犯モード解除条件登録手段に登録された機器状態になれば防犯モードを解除し、そうでなければ侵入と判定する防犯監視装置。
【請求項２】
防犯モード解除条件選択手段を備え、防犯モード解除条件登録手段は、複数の解除条件につき各々制限時間を登録し、制御手段は、前記防犯モード解除条件登録手段に登録された複数の解除条件うち前記防犯モード解除条件選択手段で選択された条件を解除条件として採用する請求項１記載の防犯監視装置。
【請求項３】
防犯モード入中の時間を計時する防犯モード入時間計時手段を備え、制御手段は、前記防犯モード入時間計時手段で計時した時間に応じて、防犯モード解除条件登録手段で登録された複数の解除条件の１つを防犯モード解除条件選択手段で解除条件として選択する請求項２記載の防犯監視装置。
【請求項４】
通報手段と、通報先登録手段を備え、防犯モード入中のいずれかのセンサまたは機器状態変化時、または侵入判定時に前記通報先登録手段に登録した連絡先に通報を行う請求項１〜３のいずれか１項記載の防犯監視装置。
【請求項５】
対象機器とその機器の動作を登録できる威嚇動作登録手段と、接続した機器を直接制御または通信手段を介して機器を制御する機器制御手段を備え、制御手段は、侵入と判定した時には、前記機器制御手段により前記威嚇動作登録手段に登録された動作を行わせる請求項１〜４のいずれか１項記載の防犯監視装置。
【請求項６】
時刻計時手段と、対象機器とその機器を動作させる時間帯を登録するための居留守動作登録手段と、接続した機器を直接制御または通信手段を介して機器を制御する機器制御手段を備え、制御手段は、防犯モード入中は前記居留守動作登録手段で登録された動作に前記機器制御手段で機器を制御する請求項１〜５のいずれか１項記載の防犯監視装置。
【請求項７】
季節判定手段を備え、制御手段は、前記季節判定手段の判定内容に応じて居留守動作登録手段で登録された複数の内容のうちその季節に該当する内容を採用する請求項６記載の防犯監視装置。
【請求項８】
季節判定手段と、照明動作時間シフト手段を備え、制御手段は、前記季節判定手段の判定内容に応じて前記照明動作時間シフト手段で居留守動作登録手段で登録された照明の動作時間をシフトする請求項６記載の防犯監視装置。
【請求項９】
防犯モード解除状態の時に状態検知手段から検知される機器の動作状態を動作時間帯と共に学習する機器動作状態学習手段を備え、前記機器動作学習手段で学習した内容を居留守動作登録手段に登録可能な請求項６記載の防犯監視装置。
【請求項１０】
受信手段と、暗証番号登録手段を備え、防犯モード設定手段の設定または、防犯モード解除条件登録手段または威嚇動作登録手段または通報先登録手段または居留守動作登録手段または暗証番号登録手段の登録内容は、前記暗証番号操作手段で操作された暗証番号または前記受信手段で受信した暗証番号が前記暗証番号登録手段に登録された暗証番号と一致する時に確認または書き換え可能な請求項１〜９のいずれか１項記載記載の防犯監視装置。
【請求項１１】
発生日時を計測するカレンダー手段と、記憶手段を備え、制御手段は、防犯モード中に状態検知手段で検知したセンサまたは機器の状態を前記発生日時と共に前記記憶手段に記憶し、受信手段で受信した暗証番号が暗証番号登録手段に登録された暗証番号と一致する時に前記記憶手段の記憶内容を確認可能な請求項１０記載の防犯監視装置。
【請求項１２】
コンピュータを請求項１〜１１のいずれか１項記載の防犯監視装置の少なくとも一部として機能させるためのプログラム。
【発明の詳細な説明】
【０００１】
【発明の属する技術分野】
本発明は、外出時等に外部からの侵入を監視する防犯監視装置に関するものである。
【０００２】
【従来の技術】
従来、この種の防犯監視装置は、例えば外出モードの時には家人が帰宅した際には侵入警報を発生せずに侵入者には警報を発するように、異常検出後所定時間だけ警報を発生を遅らせ、その間に複数のスイッチを所定の順序で操作した時に警報解除できるものであった（例えば、特許文献１参照）。
【０００３】
【特許文献１】
特開２０００−１３２７６５号公報
【０００４】
【発明が解決しようとする課題】
しかしながら、前記従来の構成では、防犯センサのついた扉を開けて帰宅した使用者が侵入報知されるまでの短時間内に防犯監視状態を解除するためにテンキー等の複数のスイッチを押す場合、押す順序が長すぎると使用者が覚えられず誤報となり使用しにくく、また順序が短すぎると、侵入者に容易に解除されるという課題を有していた。
【０００５】
本発明は、前記従来の課題を解決するもので、使用者にとっては、生活習慣として慣れた機器動作で、しかも他人にはわかりにくい機器動作を行うだけで防犯解除でき、また防犯モード中の防犯用センサだけで侵入判定へのトリガーをかけるだけでなく機器の状態変化でもトリガーをかけるため、侵入者に気づかれず防犯を行うことができる防犯監視装置を提供することを目的とする。
【０００６】
【課題を解決するための手段】
前記従来の課題を解決するために、制御手段と、防犯の監視状態にする防犯モードに入るための防犯モード設定手段と、所定時間を計時する計時手段と、センサまたは機器の状態を検知する状態検知手段と、防犯モード状態を解除するためのセンサまたは機器の状態を登録する防犯モード解除条件登録手段とを有し、前記制御手段は、防犯モード入以降の状態検知手段で検知したセンサまたは機器の状態変化から所定時間内に、前記防犯モード解除条件登録手段に登録された機器状態になれば防犯モードを解除し、そうでなければ侵入と判定する防犯監視装置としたものである。これによって、防犯モード中の防犯用センサだけで侵入判定へのトリガーをかけるだけでなく機器の状態変化でもトリガーをかけるため、侵入者に気づかれず防犯を行うことができ、しかも家人にとっては、生活習慣として慣れた機器動作で、しかも他人にはわかりにくい機器動作を行うだけで防犯解除できる。
【０００７】
【発明の実施の形態】
請求項１に記載の発明は、制御手段と、防犯の監視状態にする防犯モードに入るための防犯モード設定手段と、所定時間を計時する計時手段と、センサまたは機器の状態を検知する状態検知手段と、防犯モード状態を解除するためのセンサまたは機器の状態を登録する防犯モード解除条件登録手段とを有し、前記制御手段は、防犯モード入以降の状態検知手段で検知したセンサまたは機器の状態変化から所定時間内に、前記防犯モード解除条件登録手段に登録された機器状態になれば防犯モードを解除し、そうでなければ侵入と判定する防犯監視装置としたものである。これによって、防犯モード中の防犯用センサだけで侵入判定へのトリガーをかけるだけでなく機器の状態変化でもトリガーをかけるため、侵入者に気づかれず防犯を行うことができ、しかも家人にとっては、生活習慣として慣れた機器動作で、しかも他人にはわかりにくい機器動作を行うだけで防犯解除できる。
【０００８】
請求項２に記載の発明は、特に、請求項１に記載の防犯監視装置において、防犯モード解除条件選択手段を備え、防犯モード解除条件登録手段は、複数の解除条件につき各々制限時間を登録し、制御手段は、前記防犯モード解除条件登録手段に登録された複数の解除条件うち前記防犯モード解除条件選択手段で選択された条件を解除条件として採用することにより、使用者は、防犯モード解除条件選択手段で、短時間不在か長期不在か等の様に用途に応じ、防犯解除条件選択して使い分けることができる。
【０００９】
請求項３に記載の発明は、特に、請求項２に記載の防犯監視装置において、防犯モード入中の時間を計時する防犯モード入時間計時手段を備え、制御手段は、前記防犯モード入時間計時手段で計時した時間に応じて、防犯モード解除条件登録手段で登録された複数の解除条件の１つを防犯モード解除条件選択手段で解除条件として選択することにより、使用者は、防犯モード解除条件選択手段で選択しなくても、または選択し忘れても不在時間に応じて自動的に防犯解除条件選択して使い分けることができる。
【００１０】
請求項４に記載の発明は、特に、請求項１〜３のいずれか１項に記載の防犯監視装置において、通報手段と、通報先登録手段を備え、防犯モード入中のいずれかのセンサまたは機器状態変化時、または侵入判定時に前記通報先登録手段に登録した連絡先に通報を行うことにより、センサだけでなく機器の動作状態変化までとらえて別の場所から防犯監視することができる。
【００１１】
請求項５に記載の発明は、特に、請求項１〜４のいずれか１項に記載の防犯監視装置において、対象機器とその機器の動作を登録できる威嚇動作登録手段と、接続した機器を直接制御または通信手段を介して機器を制御する機器制御手段を備え、制御手段は、侵入と判定した時には、前記機器制御手段により前記威嚇動作登録手段に登録された動作を行うことにより、登録した音声の再生、あるいは照明の点灯や点滅等で侵入者を威嚇することができる。
【００１２】
請求項６に記載の発明は、特に、請求項１〜５のいずれか１項に記載の防犯監視装置において、時刻計時手段と、対象機器とその機器を動作する時間帯を登録するための居留守動作登録手段と、接続した機器を直接制御または通信手段を介して機器を制御する機器制御手段を備え、制御手段は、防犯モード入中は前記居留守動作登録手段で登録された動作に前記機器制御手段で機器を制御することにより、居留守を使って防犯することができる。
【００１３】
請求項７に記載の発明は、特に、請求項６に記載の防犯監視装置において、季節判定手段を備え、制御手段は、前記季節判定手段の判定内容に応じて居留守動作登録手段で登録された複数の内容のうちその季節に該当する内容を採用することにより、季節に応じた機器制御を行って居留守を使うことができる。
【００１４】
請求項８に記載の発明は、特に、請求項６に記載の防犯監視装置において、季節判定手段と、照明動作時間シフト手段を備え、制御手段は、前記季節判定手段の判定内容に応じて前記照明動作時間シフト手段で居留守動作登録手段で登録された照明の動作時間をシフトすることにより、使用者は１種類の居留守動作を登録するだけで、その動作を季節に応じて時間帯シフトさせて居留守を使うことができる。
【００１５】
請求項９に記載の発明は、特に、請求項６に記載の防犯監視装置において、防犯モード解除状態の時に状態検知手段から検知される機器の動作状態を動作時間帯と共に学習する機器動作状態学習手段を備え、前記機器動作学習手段で学習した内容を居留守動作登録手段に登録可能とすることにより、より自然な居留守を使うことができる。
【００１６】
請求項１０に記載の発明は、特に、請求項１〜９のいずれか１項に記載の防犯監視装置において、受信手段と、暗証番号登録手段を備え、防犯モード設定手段の設定または、防犯モード解除条件登録手段または威嚇動作登録手段または通報先登録手段または居留守動作登録手段または暗証番号登録手段の登録内容は、前記暗証番号操作手段で操作された暗証番号または前記受信手段で受信した暗証番号が前記暗証番号登録手段に登録された暗証番号と一致する時に確認または書き換え可能とすることにより、外出先から防犯に関する登録や変更を行えて便利で、しかも急な外出にも対応して防犯監視を行うことができる。
【００１７】
請求項１１に記載の発明は、特に、請求項１０に記載の防犯監視装置において、発生日時を計測するカレンダー手段と、記憶手段を備え、制御手段は、防犯モード中に状態検知手段で検知したセンサまたは機器の状態を前記発生日時と共に前記記憶手段に記憶し、受信手段で受信した暗証番号が暗証番号登録手段に登録された暗証番号と一致する時に前記記憶手段の記憶内容を確認可能とすることにより、外出先からも防犯監視が行えて安心な防犯監視装置を提供することができる。
【００１８】
請求項１２に記載した発明は、コンピュータを請求項１〜１１のいずれか１項記載の防犯監視装置の少なくとも一部として機能させるためのプログラムとする構成として、コンピュータを防犯監視装置の少なくとも一部として機能させることで、汎用コンピュータやサーバーを用いて本発明の防犯監視装置の全てもしくは一部を容易に実現することができる。また記録媒体に記録したり通信回線を用いてプログラムを配信したりすることでプログラムの配布やインストール作業が簡単にできる。
【００１９】
【実施例】
以下本発明の実施例について、図面を参照しながら説明する。
【００２０】
（実施例１）
図１は本発明の第１の実施例における防犯監視装置の構成を示すブロック図である。１は防犯監視装置、２は制御手段、３は防犯モードに入るための防犯モード設定手段である防犯モード入／切スイッチ、４は計時手段、５はセンサまたは機器の状態を検知する状態検知手段を構成する状態受信部、６は防犯モード解除条件登録手段で、操作部７と記憶部８とを有している。９ａは玄関ドアに取り付けた開閉センサ、９ｂはベランダのガラス戸に取り付けた開閉センサ、９ｃは居間暖房カーペット、９ｄは廊下照明、９ｅは暖房便座、９ｆは浴室照明で、１０ａ、１０ｂ、１０ｃ、１０ｄ、１０ｅ、１０ｆは各々の状態送信部で、状態受信部５と共にセンサまたは機器の状態を検知する状態検知手段を構成する。
【００２１】
また、図２は本発明の第１の実施例の動作の流れを示すフローチャートである。
【００２２】
以下、本実施例の動作について図１および図２を用いて説明する。まず、使用者は、予め防犯モード解除条件登録手段６の操作部７で防犯モードを解除する条件を記憶部８に登録しておく。即ち、防犯モード入中にセンサまたは機器のいずれかの状態変化で侵入判定のトリガーがかかった場合の防犯モード解除条件として、例えば３分以内に、玄関ドアに取り付けた開閉センサ９ａとベランダのガラス戸に取り付けた開閉センサ９ｂは閉、居間暖房カーペット９ｃと廊下照明９ｄと浴室照明９ｆと暖房便座９ｅをＯＮにすることを解除条件として記憶部８に記憶させて登録しておく（ステップ１）。
【００２３】
使用者は、外出の際に、例えばベランダのガラス戸を閉め開閉センサ９ｂを閉状態にし、居間暖房カーペット９ｃ、廊下照明９ｄ、暖房便座９ｅ、浴室照明９ｆ等の機器をＯＦＦして、防犯モード入／切スイッチ３で防犯モードを入にする。制御手段２は、防犯モード入／切スイッチ３で防犯モードを入にされると、計時手段４での計時を開始し、一定時間後（本実施例では５分後）に防犯監視装置１を防犯監視に入れる。使用者は、防犯モード入／切スイッチ３で防犯モードを入にしてこの５分以内に出かければ、開閉センサ９ａが開いても侵入判定へのトリガーとはならない。また、使用者が誤って防犯モード入／切スイッチ３で防犯モードを入にしてしまった場合は、５分以内に限って防犯モード入／切スイッチ３で防犯モードを即切にすることができる（ステップ２〜５）。
【００２４】
防犯モード入／切スイッチ３で防犯モードを入にして５分経過後以降に、もし侵入者があり、玄関ドアが開けられたとすると、開閉センサ９ａが開となり作動し、制御手段２は、計時手段４で計時を開始し、侵入判定へのトリガーをかける。侵入者は、予め防犯モード解除条件登録手段６に登録された条件を知らないので、３分間以内に登録された機器の状態を登録された状態にすることができず、３分間が経過し、制御手段２は侵入判定を下す（ステップ６、７、８、９、１１）。
【００２５】
一方、防犯モード入／切スイッチ３で防犯モードを入にして５分経過後以降に、使用者が帰宅した場合には、侵入者同様、玄関ドアを開けて開閉センサ９ａが開となり作動した時点で、制御手段２は、計時手段４で計時を開始し、侵入判定へのトリガーをかける。使用者は、予め防犯モード解除条件登録手段６に登録された条件を知っているので、３分間以内に玄関ドアを閉めて開閉センサ９ａを閉にして登録された機器の状態を登録された状態、即ち居間暖房カーペット９ｃと廊下照明９ｄと浴室照明９ｆと暖房便座９ｅをＯＮにする。この時点で予め防犯モード解除条件登録手段６に登録された条件が満たされ防犯モードが解除され、侵入とは判定されない（ステップ６、７、８、９、１０）。
【００２６】
また、侵入者がベランダのガラス戸を割って侵入して取り付けた開閉センサ９ｂを開にしなかった場合で、衝撃センサや人体センサを取り付けていなかった場合でも、制御手段２は、侵入者が例えば廊下照明９ｄをＯＮする等で状態検知手段を構成する状態送信部１０ｄ等でセンサまたは機器の状態変化を送信すると、状態受信部５で受信し、侵入者に気づかれずに計時手段４で計時を開始し、侵入判定へのトリガーをかける。
【００２７】
尚、本実施例では、状態検知手段を、センサや機器の状態送信部から無線送信されるデータを状態受信部５で受信することによってセンサまたは機器の状態を検知する構成としたが、有線で通信することで行なってもかまわないし、防犯監視装置１から直接有線で情報を検知するようにしてもかまわない。さらに、防犯モード解除条件として機器の状態をＯＮ、ＯＦＦのいずれかを登録するようにしたが、照明なら半灯や豆球点灯、エアコンなら除湿運転等の運転モードや運転レベルを指定するようにしてもかまわないし、ガスの元栓やガスメータ遮断弁の開閉によって指定するようにしても構わない。また、センサや機器のすべてに登録する必要はなく、対象とするセンサや機器のみ登録を行うようにして良いものである。また、本実施例では３分間以内にセンサや機器が登録した状態であれば良いようにしたが、例えばＯＮ状態が登録状態であれば、いずれもＯＦＦからＯＮになる等の変化後にその状態になるように登録できるようにしてもかまわない。
【００２８】
以上のように本実施例によれば、防犯モード中の防犯用センサだけで侵入判定へのトリガーをかけるだけでなく機器の状態変化でもトリガーをかけるため、侵入者に気づかれず防犯を行うことができ、しかも家人にとっては生活習慣として慣れた機器動作でしかも他人にはわかりにくい機器動作を行うだけで防犯解除できる。
【００２９】
（実施例２）
図３は、本発明の第２の実施例における防犯監視装置の構成を示すブロック図である。図１の構成に加えて、防犯モード解除条件選択手段１１を備えている。
【００３０】
以下、本実施例の動作について図３を用いて説明する。使用者は、予め防犯モード解除条件登録手段６で、まず１番目の解除条件を記憶部８に登録する。例えば、短時間の外出用に２分以内に、玄関ドアに取り付けた開閉センサ９ａとベランダのガラス戸に取り付けた開閉センサ９ｂは閉、浴室照明９ｆはＯＮ、他は無視することを解除条件として記憶部８に記憶させて登録しておく。次に、２番目の解除条件として、例えば、長時間の外出用に、実施例１で示した、３分以内に、玄関ドアに取り付けた開閉センサ９ａとベランダのガラス戸に取り付けた開閉センサ９ｂは閉、居間暖房カーペット９ｃと廊下照明９ｄと浴室照明９ｆはＯＮ、暖房便座９ｅはＯＦＦにすることを解除条件として登録する。
【００３１】
使用者は、短時間の外出の際には、防犯モード解除条件選択手段１１で１番目の防犯解除条件を選択して、防犯モード入／切スイッチ３で防犯モードを入にして出かける。この際、仮に暖房カーペット９ｃや暖房便座９ｅはＯＮのままで出かけても、実施例１と同様の防犯監視は行なわれる上に、帰って来た時に、２分以内に浴室照明９ｆさえＯＮすれば防犯モードを解除できる。また、使用者は、長時間の外出の際には、防犯モード解除条件選択手段１１で２番目の防犯解除条件を選択して、防犯モード入／切スイッチ３で防犯モードを入にして出かけると、実施例１同様の防犯管理が行なわれ、解除も同様に行なわれる。
【００３２】
尚、本実施例では、防犯モード解除条件登録手段６に登録する条件を２つとして、防犯モード解除条件選択手段１１でこれらのいずれかを選択できるようにしたが、任意の条件数としてかまわない。また、不在時間の長短での使い分けの例を示したが、例えば夏場はある窓は少し開けて外出するが、それ以外の季節ではその窓も閉めておく場合はその窓の開閉センサを対象とするか否かを変更したり、冬は暖房機器を対象に入れたり等、季節で使用するセンサや機器を使い分けてもかまわない。
【００３３】
以上のように本実施例によれば、使用者は、防犯モード解除条件選択手段で、短時間不在か長期不在か等の様に用途に応じ、防犯解除条件選択して使い分けることができる。
【００３４】
（実施例３）
図４は、本発明の第３の実施例における防犯監視装置の構成を示すブロック図である。図３の構成に加えて、防犯モード入時間計時手段１２を備えている。
【００３５】
以下、本実施例の動作について説明する。まず、使用者が、防犯モード解除条件登録手段６に短時間外出用と長時間外出用として防犯モード解除条件を登録するのは、実施例２と同様である。但し、短時間外出用は登録条件１として登録されたもので実施例２で示した内容に登録し、長時間外出用は登録条件２として登録されたもので、同じく実施例２で示した内容に登録するものとする。
【００３６】
まず、使用者は、短時間の外出のつもりで、仮に暖房カーペット９ｃと暖房便座９ｅはＯＮのままで、防犯モード解除条件選択手段１１で１番目の短時間外出用の防犯解除条件を選択して、防犯モード入／切スイッチ３で防犯モードを入にして出かけたとする。制御手段２は、使用者が、防犯モード入／切スイッチ３で防犯モードを入にした時点で、防犯モード入時間計時手段１２での計時を開始する。短時間の外出のつもりが、長時間になり所定時間（本実施例では３０分）以上になると、制御手段２は、防犯モード解除条件選択手段１１で２番目の長時間外出用の防犯解除条件を選択しなおす。
【００３７】
もし、防犯モード入時間計時手段１２での計時が３０分未満である時に、例えば玄関ドアを開けて開閉センサ９ａが開にした侵入者があれば、侵入者が２分以内に玄関ドアを閉め、開閉センサ９ａを閉にし、浴室照明をＯＮしなければ、制御手段２は侵入判定を下す。
【００３８】
もし、防犯モード入時間計時手段１２での計時が３０分以上である時に、例えば玄関ドアを開けて開閉センサ９ａが開にした侵入者があれば、侵入者が３分以内に玄関ドアを閉めて開閉センサ９ａを閉にして登録された機器の状態を登録された状態、即ち居間暖房カーペット９ｃと廊下照明９ｄと浴室照明９ｆだけをＯＮにし、暖房便座９ｅをＯＦＦしなければ、制御手段２は侵入判定を下す。
【００３９】
使用者が、長時間の外出のつもりで、防犯モード解除条件選択手段１１で２番目の長時間外出用の防犯解除条件を選択して、防犯モード入／切スイッチ３で防犯モードを入にして出かけた場合は、仮に３０分以内に、侵入者あるあるいは使用者が帰宅し、侵入のトリガーがかかったとしても、制御手段２は、防犯モード解除条件選択手段１１で１番目の短時間外出用の防犯解除条件を選択しなおすことはしない。制御手段２は、常に安全側に動作するように防犯監視を行なう。
【００４０】
尚、本実施例では、短時間外出用は登録条件１として登録されたもの、長時間外出用は登録条件２として登録されたものとしたが、複数の登録条件の内、例えば登録条件毎に用途を指定するようにして、指定された用途から、防犯モード入時間計時手段１２での計時に応じて短時間外出用と長時間外出用を抽出するようにしてもかまわない。また、本実施例では、制御手段２が、防犯モード解除条件選択手段１１で２番目の長時間外出用の防犯解除条件を選択しなおす制限時間を３０分としたが、使用者が設定できるようにしてもかまわない。
【００４１】
以上のように本実施例によれば、使用者は、わざわざ防犯モード解除条件選択手段で選択しなくても、または選択し忘れても不在時間に応じて自動的に防犯解除条件選択して使い分けることができる。
【００４２】
（実施例４）
図５は、本発明の第４の実施例における防犯監視装置の構成を示すブロック図である。図４の構成に加えて、電話をかけて予め用意された音声で通報を行うまたは、アドレス宛に予め用意された文字をメール送信する通報手段１３と、通報先登録手段１４を備え、通報手段１３は公衆電話回線に接続している。
【００４３】
以下、本実施例の動作について説明する。
【００４４】
まず、使用者が、防犯モード解除条件登録手段６に短時間外出用と長時間外出用等の用途に分けて防犯モード解除条件を登録するのは、実施例３と同様である。さらに使用者は、通報先登録手段１４で、防犯モード入中のいずれかのセンサまたは機器状態変化時と、侵入判定時の各々について、通報するか否かの通報の有無と、通報有りの場合の通報先の電話番号または電子メールアドレスを登録しておく。
【００４５】
使用者は、解除条件選択手段１１で防犯モード解除条件登録手段６で登録したいずれかの防犯解除条件を選択して、防犯モード入／切スイッチ３で防犯モードを入にして出かける。制御手段２は、防犯モード入中に、侵入者が侵入するまたは家族等を含めた使用者が帰宅し、いずれかのセンサまたは機器９ａ〜９ｆの状態送信部１０ａ〜１０ｆから状態変化が送信され、状態受信部５で受信すると、通報先登録手段１４に防犯モード入中のいずれかのセンサまたは機器状態変化時の条件について通報有りが登録され通報先が登録されている場合は、その通報先へ通報手段１３により通報する。また、その後侵入判定が下された時には、侵入条件について通報有りが登録され通報先が登録されている場合は、その通報先へ通報手段１３により通報を行なう。この際に、通報先に電話番号が登録されている場合には、その番号に電話をかけ、予め用意された音声で通報を行い、通報先にメールアドレスが登録されている場合には、そのアドレス宛に予め用意された文字をメール送信する。
【００４６】
尚、本実施例では、通報手段１３の接続を公衆電話回線１５への有線接続としたが、無線で接続してもかまわないし、ローカルエリアネットワークを介して間接的に外部への回線に接続してもかまわないし、ローカルエリアネットワーク内での別の場所に通報するようにしてもかまわない。また、本実施例では、宅外への通信線として公衆電話回線１５としたが、高速電灯線等や光ファイバーの他の宅外との通信としてもかまわない。
【００４７】
以上のように本実施例によれば、センサだけでなく機器の動作状態変化までとらえて別の場所から携帯電話等で防犯監視することができる。
【００４８】
（実施例５）
図６は、本発明の第５の実施例における防犯監視装置の構成を示すブロック図である。１６は威嚇動作登録手段、１７はセンサや機器の状態検知手段の構成要素であり、かつ機器制御手段の構成要素である送受信部、１８ｄは廊下照明９ｄの状態検知手段の構成要素で、かつ機器制御手段の構成要素である送受信部、１９ｄは廊下照明９ｄの機器制御手段の構成要素である機器制御部、２０は音声発生手段である。
【００４９】
以下、本実施例の動作について説明する。まず、使用者が、防犯モード解除条件登録手段６に防犯モード解除条件を登録し、通報先登録手段１４で、防犯モード入中のいずれかのセンサまたは機器状態変化時と、侵入判定時の各々について、通報するか否かの通報の有無と、通報有りの場合の通報先の電話番号または電子メールアドレスを登録するのは実施例４と同様である。さらに使用者は、威嚇動作登録手段１６で、制御手段２が侵入判定を下した時に侵入者を威嚇するための動作を登録する。即ち、音声発生手段２０での「侵入者がありました」の発生と廊下照明９ｄを点滅させることを登録しておく。
【００５０】
制御手段２は、侵入判定を下した時には、威嚇動作登録手段１６に登録されている動作を行なう。即ち、音声発生手段２０での「侵入者がありました」を繰り返し発生させると同時に、送受信部１７で廊下照明９ｄを点滅させる命令を送信する。この点滅命令を送受信部１８ｄを介して受信した廊下照明９ｄの機器制御部１９ｄは、廊下照明９ｄを点滅し、送受信部１８ｄを介して点滅したことを送信する。制御手段２は、防犯モード解除条件登録手段６に登録している解除条件が成立すれば、威嚇動作をやめる。
【００５１】
尚、本実施例では、威嚇動作登録手段１６では１つの機器のみ対象としたが、送受信部及び機器制御部を設けた機器の内から任意に複数登録してもかまわない。
【００５２】
以上のように本実施例によれば、登録した音声の再生、あるいは照明の点灯や点滅等で侵入者を威嚇することができる。
【００５３】
（実施例６）
図７は、本発明の第６の実施例における防犯監視装置の構成を示すブロック図である。図６の構成に加えて、時刻計時手段２１と、居留守動作登録手段２２を備えている。９ｇは居間照明、１８ｇは居間照明９ｇに接続する送受信部、１９ｇは居間照明９ｇを制御するための機器制御部である。
【００５４】
以下、本実施例の動作について説明する。まず、使用者が、防犯モード解除条件登録手段６に防犯モード解除条件を登録し、通報先登録手段１４で、防犯モード入中のいずれかのセンサまたは機器状態変化時と、侵入判定時の各々について、通報するか否かの通報の有無と、通報有りの場合の通報先、さらに威嚇動作登録手段１６で、制御手段２が侵入判定を下した時に侵入者を威嚇するための動作を登録するのは、実施例５と同様である。さらに、使用者は、居留守動作登録手段２２に、防犯モード入中に動作させたい対象機器とその時間帯を登録する。即ち、例えば居間照明９ｇを、１８：００〜２４：００までＯＮするよう登録しておく。
【００５５】
使用者は、外出の際に、例えばベランダのガラス戸を閉め開閉センサ９ｂを閉状態にし、居間暖房カーペット９ｃ、廊下照明９ｄ、暖房便座９ｅ、浴室照明９ｆ、居間照明９ｆ等の機器をＯＦＦして、防犯モード入／切スイッチ３で防犯モードを入にする。制御手段２は、防犯モード入／切スイッチ３で防犯モードを入にされると、計時手段４での計時を開始し、一定時間後（本実施例では５分後）に防犯監視装置１を防犯監視に入れる。
【００５６】
制御手段２は、時刻計時手段２１で居留守動作登録手段２２に登録された１８：００になったことを計時すると、居間照明９ｇをＯＮする命令を送受信部１７で送信し、このＯＮ命令を送受信部１８ｇを介して受信した居間照明９ｇの機器制御部１９ｇは、居間照明９ｇをＯＮし、送受信部１８ｇを介してＯＮしたことを送信する。また、制御手段２は、時刻計時手段２１で２４：００になったことを計時すると、居間照明９ｇをＯＦＦする命令を送受信部１７で送信し、このＯＦＦ命令を送受信部１８ｇを介して受信した居間照明９ｇの機器制御部１９ｇは、居間照明９ｇをＯＦＦし、送受信部１８ｇを介してＯＦＦしたことを送信する。この際、制御手段２は、送受信部１７で送信して制御した結果として、居間照明９ｇが状態変化したことを検知した場合には、侵入のトリガーとはしない。
【００５７】
尚、本実施例では、居間照明９ｇだけを開始時刻と終了時刻を設定して、その時間帯だけＯＮするようにしたが、玄関外灯や窓側の照明等の複数の機器を制御するようにしてもかまわないし、開始時刻だけ設定して動作させる時間幅を登録するようにしてもかまわない。
【００５８】
以上のように本実施例によれば、居留守を使って防犯することができる。
【００５９】
（実施例７）
図８は、本発明の第７の実施例における防犯監視装置の構成を示すブロック図である。図７の構成に加えて、季節判定手段であるカレンダー手段２３を備えている。
【００６０】
以下、本実施例の動作について説明する。まず、使用者が、防犯モード解除条件登録手段６に防犯モード解除条件を登録し、通報先登録手段１４で、防犯モード入中のいずれかのセンサまたは機器状態変化時と、侵入判定時の各々について、通報するか否かの通報の有無と、通報有りの場合の通報先、さらに威嚇動作登録手段１６で、制御手段２が侵入判定を下した時に侵入者を威嚇するための動作を登録するのは、実施例５、実施例６と同様である。使用者は、居留守動作登録手段２２に、防犯モード入中に動作させたい対象機器とその時間帯を複数グループ登録することが可能である。仮に登録の１番目を春用、２番目を夏用、３番目を秋用、４番目を冬用として登録する。例えば、冬なら日の入りが早いので照明は１８：００〜８：００の間ＯＮするようにして、夏なら２０：００〜６：００の間ＯＮするように登録する。
【００６１】
使用者が防犯モード入／切スイッチ３で防犯モードを入にして防犯監視装置１が防犯監視に入った後、季節判定手段であるカレンダー手段２３により、現在が３月〜５月であれば、１番目の春用に登録された内容に従い、６月〜８月であれば、２番目の夏用に登録された内容に従い、９月〜１１月であれば、３番目の秋用に登録された内容に従い、１２月〜２月であれば、４番目の冬用に登録された内容に従い、登録された時刻になれば、登録された機器を動作させる。機器の動作方法は、実施例６と同様である。
【００６２】
尚、本実施例では、季節判定手段をカレンダー手段２３としたが、外気温度検知手段でもかまわないし、外気照度検知手段と時刻計時手段で日の入り時刻を検知するもので実現してもかまわない。また、登録の１番目を春用、２番目を夏用、３番目を秋用、４番目を冬用として登録するようにしたが、登録内容１つ当たりに、春、夏、秋、冬のうち複数の季節について選択可能としてもかまわない。
【００６３】
以上のように本実施例によれば、季節に応じた機器制御を行って居留守を使うことができる。
【００６４】
（実施例８）
図９は本実施例の第８の実施例における防犯監視装置の構成を示すブロック図である。図８の構成に加えて、照明動作時間シフト手段２４を備えている。
【００６５】
以下、本実施例の動作について説明する。まず、使用者が、防犯モード解除条件登録手段６に防犯モード解除条件を登録し、通報先登録手段１４で、防犯モード入中のいずれかのセンサまたは機器状態変化時と、侵入判定時の各々について、通報するか否かの通報の有無と、通報有りの場合の通報先、さらに威嚇動作登録手段１６で、制御手段２が侵入判定を下した時に侵入者を威嚇するための動作を登録するのは、実施例５、実施例６、実施例７と同様である。使用者は、居留守動作登録手段２２に、防犯モード入中に動作させたい対象機器とその時間帯を１種類だけ登録する。仮に居間照明９ｇを１９：００〜７：００の間ＯＮするように登録する。
【００６６】
使用者が防犯モード入／切スイッチ３で防犯モードを入にして防犯監視装置１が防犯監視に入った後、季節判定手段であるカレンダー手段２３により、現在が３月〜５月または９月〜１１月であれば、照明動作時間シフト手段２４は何も作用せず、制御手段２は、居留守動作登録手段２２に登録された動作どおりに機器を動作させる。機器の動作方法は、実施例６、実施例７と同様である。季節判定手段であるカレンダー手段２３により、６月〜８月であれば、制御手段２は、居留守動作登録手段２２に登録された動作の中に対象機器として照明があれば、照明動作時間シフト手段２４により、そのＯＮする時間を１時間遅くシフトさせ、かつＯＦＦする時間を１時間早くシフトさせ２０：００〜６：００の間動作させる。また、季節判定手段であるカレンダー手段２３により、１２月〜２月であれば、制御手段２は、居留守動作登録手段２２に登録された動作の中に対象機器として照明があれば、照明動作時間シフト手段２４により、そのＯＮする時間を１時間早くシフトさせ、かつＯＦＦする時間を１時間遅くシフトさせ１８：００〜８：００の間動作させる。尚、本実施例では照明動作時間シフト手段２４でシフトする時間はＯＮ、ＯＦＦ共に１時間としたが、シフトする時間は任意の時間としてかまわないし、ＯＮ、ＯＦＦでシフトする時間を変えてもかまわない。シフトする時間を使用者が設定できるようにしてもかまわない。
【００６７】
以上のように本実施例によれば、居留守動作登録手段２２に季節個別に動作を登録する必要がなく、１種類の動作を登録するだけで、その動作を季節に応じて時間帯シフトさせて居留守を使うことができる。
【００６８】
（実施例９）
図１０は、本発明の第９の実施例における防犯監視装置の構成を示すブロック図である。図９の構成に加えて、機器動作状態学習手段２５を備えている。
【００６９】
まず、使用者が、防犯モード解除条件登録手段６に防犯モード解除条件を登録し、通報先の登録、さらに威嚇動作登録手段１６で、制御手段２が侵入判定を下した時に侵入者を威嚇するための動作を登録するのは、実施例５〜実施例８と同様である。
【００７０】
制御手段２は、使用者が防犯モード入／切スイッチ３で防犯モードを入にしていない防犯の解除状態である時に、機器から送信される状態を送受信部１７で受信して、時刻計時手段２１でその時刻を計時し、機器動作状態学習手段２５により機器の動作状態を学習する。即ち、例えば、居間照明９ｇがＯＮされている時間帯を学習するために、１時間単位でＯＮされていたかＯＦＦされていたかを所定期間（本実施例では最新１週間）監視し、その１時間がＯＮされていた割合が所定値（本実施例では０．７）以上ならＯＮすべき１時間とし、それ以外ならＯＦＦすべき１時間として学習する。機器動作状態学習手段２５では、送受信部１７で受信する全ての機器のうち、任意の機器（本実施例では最大３つ）の状態を学習することができる。
【００７１】
使用者は、居留守動作登録手段２２に、防犯モード入中に動作させたい対象機器を選択すると、その時間帯をＯＮする時刻とＯＦＦする時刻を直接指定するか、その機器が機器動作状態学習手段２５で学習したものである場合は学習時間帯を指定するか選択して登録することができる。機器動作状態学習手段２５で学習した時間帯を指定して登録すると、  使用者が防犯モード入／切スイッチ３で防犯モードを入にして防犯監視装置１を防犯監視に入った後、居留守動作登録手段２２に登録された機器を、機器動作状態学習手段２５で学習した時間帯に動作させる。
【００７２】
尚、本実施例では機器動作状態学習手段２５で機器の状態を学習する時間単位を１時間としたが、任意の時間単位としてもかまわないし、ＯＮすべき時間単位と判断する割合を０．７としたが、任意の割合としてもかまわない。
【００７３】
以上のように本実施例によれば、より自然な居留守を使うことができる。
【００７４】
（実施例１０）
図１１は、本発明の第１０の実施例における防犯監視装置の構成を示すブロック図である。図９の構成の通報手段１３に替えて電話回線送受信手段２６を備え、さらに暗証番号登録手段２７、操作手段２８、リモコン送信機２９を備えている。
【００７５】
以下、本実施例の動作について説明する。まず、制御手段２は、防犯監視装置１で直接内容を確認または登録変更する場合は、防犯モード解除状態である時に限り、操作手段２８またはリモコン送信機２９から送受信部１７を介して入力される暗証番号（未登録なら初期値、例えば「１、２、３、４」）との一致で登録の確認や変更ができる状態とする。使用者は、防犯モード解除状態で、暗証番号を入力して、防犯モード解除条件登録手段６に防犯モード解除条件を登録し、通報先登録手段１４で、防犯モード入中のいずれかのセンサまたは機器状態変化時と、侵入判定時の各々について、通報するか否かの通報の有無と、通報有りの場合の通報先、さらに威嚇動作登録手段１６で、制御手段２が侵入判定を下した時に侵入者を威嚇するための動作を登録し、居留守動作登録手段２２に、防犯モード入中に動作させたい対象機器とその時間帯を登録する。さらに暗証番号登録手段２７に暗証番号を登録する。この際、暗証番号登録手段２７に登録できるのは数字だけでなく文字の組み合わせを含む最大１０桁とする。
【００７６】
防犯監視装置１に直接登録する場合で、防犯モード解除状態でない場合には、実施例１で示したとおりに防犯モード解除条件登録手段６に登録した防犯モード解除条件を成立させ、防犯モードを解除してから行なう。
【００７７】
一方、宅外からであれば、まず使用者は自宅に電話をかける。制御手段２は、電話回線送受信手段で受信する。使用者は、続いて暗証番号（本実施例では４桁）を入力する。制御手段２は、入力された番号が暗証番号登録手段２７に登録された番号と一致すれば、防犯モードの解除状態か否かに関わらず、防犯モード解除条件登録手段または通報先登録手段または威嚇動作登録手段１６または居留守動作登録手段２２または暗証番号登録手段２７の内容を、確認または登録変更可能状態とする。使用者は必要に応じて確認または登録変更を行なう。また、防犯モードの入操作も行なうことができる。
【００７８】
以上のように本実施例によれば、外出先から居留守動作等の防犯に関する登録や変更を行えて便利で、しかも急な外出にも対応して防犯監視を行うことができる
（実施例１１）
図１２は、本発明の第１１の実施例における防犯監視装置の構成を示すブロック図である。図１１の構成に加えて、記憶手段３０を備えている。また、現在の日付けは、カレンダー手段２３から、現在時刻は時刻計時手段２１により、制御手段２に入力されている。
【００７９】
以下、本実施例の動作について説明する。防犯監視装置１で直接、または宅外から、確認や登録変更登録する場合の動作は、実施例１０と同様である。
【００８０】
使用者が、防犯モード入／切スイッチ３で防犯モードを入にして５分経過時に、制御手段２は、防犯モード入状態にし、防犯モード入状態になったことをその日時と共に記憶手段３０に記憶する。また、防犯モード入状態になってから、侵入者または使用者の帰宅により、玄関ドアが開けられたとすると、開閉センサ９ａが開となり状態送信部１０ａから送信されたこの情報を、送受信部１７で受信した時点で、開閉センサ９ａが開になったことをその日時と共に記憶手段３０に記憶する。制御手段２は、防犯モード入状態の時に送受信部１７で受信したセンサまたは機器の状態変化があれば、全てその日時と共に記憶手段３０に記憶する。
【００８１】
一方、宅外から、まず使用者は自宅に電話をかける。制御手段２は、電話回線送受信手段で受信する。使用者は、続いて暗証番号（本実施例では４桁）を入力する。制御手段２は、入力された番号が暗証番号登録手段２７に登録された番号と一致すれば、防犯モードの解除状態か否かに関わらず、防犯モード解除条件登録手段または通報先登録手段または威嚇動作登録手段１６または居留守動作登録手段２２または暗証番号登録手段２７の内容を、確認または登録変更可能状態とすると共に、記憶手段３０の記憶内容を出力可能とする。使用者は必要に応じてこの記憶手段３０の記憶内容を確認する。
【００８２】
以上のように本実施例によれば、外出先からも防犯監視が行えて安心な防犯監視装置を提供することができる。
【００８３】
（実施例１２）
次に本発明の第１２の実施例について図１を用いて説明する。本実施例は、コンピュータを、制御手段２の全てもしくは一部として機能させるためのプログラムとする構成として、コンピュータを全てもしくは一部として機能させるものである。
【００８４】
以上のように本実施例によれば、汎用コンピュータやサーバーを用いて本発明の防犯監視装置の全てもしくは一部を容易に実現することができる。
【００８５】
【発明の効果】
以上のように、本発明によれば、制御手段と、防犯の監視状態にする防犯モードに入るための防犯モード設定手段と、計時手段と、センサまたは機器の状態を検知する状態検知手段と、防犯モード状態を解除するためのセンサまたは機器の状態を登録する防犯モード解除条件登録手段とを有し、前記制御手段は、防犯モード入以降の状態検知手段で検知したセンサまたは機器の状態変化から所定時間内に、前記防犯モード解除条件登録手段に登録された機器が全て所定の状態になれば防犯モードを解除し、そうでなければ侵入と判定することで、防犯モード中の防犯用センサだけで侵入判定へのトリガーをかけるだけでなく機器の状態変化でもトリガーをかけるため、侵入者に気づかれず防犯を行うことができ、しかも家人にとっては自然でしかも他人にはわかりにくい機器動作を行うだけで防犯解除できる。また、季節に応じた機器制御や在宅時の機器使用状態の学習による機器制御を防犯モード入中に行うことによって、より自然な居留守を使い防犯を行うことができる。さらに外出先から登録内容の変更や確認を可能にすることによって、使用者が便利で安心できる防犯監視装置を提供することができる。
【図面の簡単な説明】
【図１】図１は本発明の第１の実施例における防犯監視装置の構成を示すブロック図
【図２】同第１の実施例の動作の流れを示すフローチャート
【図３】同第２の実施例における防犯監視装置の構成を示すブロック図
【図４】同第３の実施例における防犯監視装置の構成を示すブロック図
【図５】同第４の実施例における防犯監視装置の構成を示すブロック図
【図６】同第５の実施例における防犯監視装置の構成を示すブロック図
【図７】同第６の実施例における防犯監視装置の構成を示すブロック図
【図８】同第７の実施例における防犯監視装置の構成を示すブロック図
【図９】同第８の実施例における防犯監視装置の構成を示すブロック図
【図１０】同第９の実施例における防犯監視装置の構成を示すブロック図
【図１１】同第１０の実施例における防犯監視装置の構成を示すブロック図
【図１２】同第１１の実施例における防犯監視装置の構成を示すブロック図
【符号の説明】
１  防犯監視装置
２  制御手段
３  防犯モード入／切スイッチ（防犯モード設定手段）
４  計時手段
５  状態受信部（状態検知手段の構成要素）
６  防犯モード解除条件登録手段
１０ａ〜１０ｆ  状態送信部（状態検知手段の構成要素）
１１  防犯モード解除条件選択手段
１２  防犯モード入時間計時手段
１３  通報手段
１４  通報先登録手段
１６  威嚇動作登録手段
１７  送受信部
１８ｄ  送受信部
１９ｄ  機器制御部
２０  音声発生手段
２１  時刻計時手段
２２  居留守動作登録手段
２３  カレンダー手段（季節判定手段）
２４  照明動作時間シフト手段
２５  機器動作状態学習手段
２６  電話回線送受信手段（受信手段）
２７  暗証番号登録手段
３０  記憶手段
【図１】
2004334470.tif 000003
【図２】
2004334470.tif 000004
【図３】
2004334470.tif 000005
【図４】
2004334470.tif 000006
【図５】
2004334470.tif 000007
【図６】
2004334470.tif 000008
【図７】
2004334470.tif 000009
【図８】
2004334470.tif 000010
【図９】
2004334470.tif 000011
【図１０】
2004334470.tif 000012
【図１１】
2004334470.tif 000013
【図１２】
2004334470.tif 000014